(57)【要約】  毛髪をブリッスルに効率的にキャッチさせ、毛髪のセット力を高めることを実現する。ヘッド部（８１）を備えたヘアブラシであって、前記ヘッド部（８１）の第１の表面にセット部（４０、５０、８０）が配置され、前記セット部は、当該セット部（４０、５０、８０）の表面から伸長する複数のブリッスル（２０、２１、２２、４１、４１β、４２、５２）を備え、前記セット部の表面におけるブリッスルの断面の中心が、前記第１の表面において幾何学的に配置され、前記幾何学的な配置が、前記第１の表面におけるスパイラルの一部に沿った配置であり、前記複数のブリッスルのうちの少なくとも２つが毛髪に熱を伝える伝熱体からなる第１のブリッスルである。
2019215960.tif 000002
【特許請求の範囲】
【請求項１】
ヘッド部を備えたヘアブラシであって、
前記ヘッド部の第１の表面にセット部が配置され、
前記セット部は、当該セット部の表面から伸長する複数のブリッスルを備え、
前記セット部の表面における前記ブリッスルの断面の中心が、前記第１の表面において幾何学的に配置され、
前記幾何学的な配置が、前記第１の表面におけるスパイラルの一部に沿った配置であり、
前記複数のブリッスルのうちの少なくとも２つが、毛髪に熱を伝える伝熱体からなる第１のブリッスルである
ことを特徴とするヘアブラシ。
【請求項２】
前記幾何学的な配置が、前記第１の表面における２つのスパイラルの交点の一部に沿った配置である、
ことを特徴とする請求項１に記載のヘアブラシ。
【請求項３】
前記複数のブリッスルのうちの少なくとも１つが、前記伝熱体よりも熱伝導率の低い樹脂からなる第２のブリッスルである、ことを特徴とする請求項１または２に記載のヘアブラシ。
【請求項４】
前記第１のブリッスルの高さが、前記第２のブリッスルの高さより低いことを特徴とする、請求項３に記載のヘアブラシ。
【請求項５】
前記第１の表面におけるスパイラルの一部が第１のトラックと第２のトラックとを有し、
第１の高さを有する第１のブリッスルが前記第１のトラックに配置され、前記第１の高さとは異なる第２の高さを有する第１のブリッスルが前記第２のトラックに配置される
ことを特徴とする請求項１から４のいずれか１項に記載のヘアブラシ。
【請求項６】
第１の断面積を有する第１のブリッスルに隣接して、前記第１の断面積とは異なる第２の断面積を有する第１のブリッスルが配置され、
前記第１の断面積が前記第２の断面積よりも大きく、
前記第２の断面積を有する第１のブリッスルが、前記セット部の短手方向の端部に沿って配置される
ことを特徴とする請求項１から５のいずれか１項に記載のヘアブラシ。
【請求項７】
前記第１のブリッスルの断面が、長軸と短軸とを有する楕円形状を備え、
前記短軸が、前記セット部の長手方向と平行になるように配置される
ことを特徴とする請求項１から６のいずれか１項に記載のヘアブラシ。
【請求項８】
前記第１のブリッスルの断面が、長軸と短軸とを有する楕円形状を備え、
前記短軸が、前記セット部の長手方向の軸線と交わる角度がランダムに決定される角度で前記第１のブリッスルが配置される
ことを特徴とする請求項１から７のいずれか１項に記載のヘアブラシ。
【請求項９】
前記第１のブリッスルの断面が、第１の軸線と第２の軸線とを有する楕円形状を備え、
前記セット部の短手方向の端部に配置される第１のブリッスルのうち隣接する第３のブリッスルおよび第４のブリッスルにおいて
前記第３のブリッスルの前記第１の軸線が前記セット部の長手方向の軸線との間で形成される第１の角度と、前記第４のブリッスルの前記第１の軸線が前記セット部の長手方向の軸線との間で形成される第２の角度との差の絶対値が、０度より大きく９０度以下の角度となるように、前記第３のブリッスルと前記第４のブリッスルとが前記セット部の短手方向の端部において隣接して配置されることを特徴とする
ことを特徴とする請求項１から８のいずれか１項に記載のヘアブラシ。
【請求項１０】
手で把持可能な把持部と、
前記把持部の長手方向の一端に連結するヘッド部と、
を有するヘアブラシであって、
前記ヘッド部の第１の表面から伸長する複数のブリッスルを備え、
前記第１の表面における前記複数のブリッスルの断面の中心が、前記第１の表面において幾何学的に配置され、
前記幾何学的な配置が、前記第１の表面における２つのスパイラルの交点の一部に配置されていることを特徴とするヘアブラシ。
【発明の詳細な説明】
【技術分野】
【０００１】
本発明は、ヘアブラシ、特に毛髪をセットする電気ヘアブラシに関する。
【背景技術】
【０００２】
従来のヘアスタイリングにおいては、ヘアアイロン、ヘアブラシ、ブラシとヘアドライヤーの併用など、様々な方法が用いられていた。例えば、ヘアアイロンは、まず毛髪を梳き、次いでアイロンで毛髪を挟み込んでセットする。
【先行技術文献】
【特許文献】
【０００３】
【特許文献１】実用新案第３２０６８０８号
【特許文献２】特開２０１３−２４０４３４号
【特許文献３】特開２００７−２２９３１６号
【発明の概要】
【発明が解決しようとする課題】
【０００４】
しかしながら、上述のような従来技術では、例えば、ヘアブラシは一度でヘアセットが可能であるが、うまく毛髪をキャッチできないと熱が毛髪に伝わりにくいという問題がある。また、その一方でブラシのピンを増やし過ぎると毛髪が絡まったり抜けなくなったりすることにより毛髪へのダメージが大きくなるという課題がある。【０００５】
本発明は、上記の問題点に鑑みてなされたものであり、その目的は、毛髪をブリッスルに効率的にキャッチさせ、毛髪のセット力を高めることを実現することにある。
【課題を解決するための手段】
【０００６】
上記の課題を解決するために、本発明の一態様に係るヘアブラシは、ヘッド部を備えたヘアブラシであって、前記ヘッド部の第１の表面にセット部が配置され、前記セット部は、当該セット部の表面から伸長する複数のブリッスルを備え、前記セット部の表面におけるブリッスルの各々の断面の中心が、前記第１の表面において幾何学的に配置され、前記幾何学的な配置が、前記第１の表面におけるスパイラルの一部に沿った配置であり、前記複数のブリッスルのうちの少なくとも２つが毛髪に熱を伝える伝熱体からなる第１のブリッスルである構成である。
【発明の効果】
【０００７】
本発明の一態様によれば、毛髪はブリッスルに効率的にキャッチされ、毛髪のセット力を高めることができる。
【図面の簡単な説明】
【０００８】
【図１】従来技術に係るヘアブラシのブリッスルの配列を示す概略図である。
【図２】実施形態１に係るヘアブラシのブリッスルの配列を示す概略図である。
【図３】従来技術と本発明とのブリッスルの配列の対比を示す概略図である。
【図４】実施形態２に係るヘアブラシのブリッスルの配列を模式的に示す概略図である。
【図５】実施形態３に係るヘアブラシのブリッスルの配列を模式的に示す概略図である。
【図６】実施形態３に係るヘアブラシのブリッスルの配列を模式的に示す概略図である。
【図７】実施形態４にかかるブラシ面の側面図（ｙｚ平面）の概略図である。
【図８】実施形態５に係るヘアブラシのブリッスルの配列を模式的に示す概略図である。
【図９】実施形態６に係るヘアブラシのブリッスルの配列を模式的に示す概略図である。
【図１０】実施形態７に係るヘアブラシの概略図である。
【発明を実施するための形態】
【０００９】
従来のヘアブラシのブリッスルの配列態様１００、１１０の概略図を図１に示す。図１では、ヘアブラシの外観は示していないが、ブラシ面（ｘｙ平面）を臨む方向（ｘｙ平面に垂直なｚ軸方向）から見たブリッスルの配列のみを模式的に示す。図１（ａ）に示すように、一般的なヘアブラシでは、グリッド状にブリッスル１０が配列されている。この構造では、ｘｙ平面において一定方向１０１に毛髪のすり抜けが生じてしまう。別の従来技術では、図１（ｂ）に示すように、互い違いにブリッスル１１が配列されている（特許文献１）。
【００１０】
特許文献１（実用新案第３２０６８０８号）では、ブラシとヘアアイロンを一緒にした構造が提案されている。特許文献１に係るブラシでは、一旦、毛髪を梳かす必要がなく便利であるが、ｘｙ平面においてブリッスル（ピン）の配列が、ｙ軸方向に対して直列である（図３（ａ））。当該考案は、ストレート用とはいえ、このような配列構造にすると、ｘｙ平面において一定方向１１１には毛髪のすり抜けが生じてしまう。したがって、ブリッスルの本数を増やすか、各ブリッスルのサイズを大きく設定する必要がある。特許文献１では、ブリッスルとブリッスルとの間に隙間がほとんどなく（図３（ａ））、毛髪は強い摩擦によってダメージを受けることが考えられる。
【００１１】
また、特許文献２では、人の頭部の曲率に合わせたブリッスルが提案されており、この形状に倣ってブラシを設計することも考えられる。しかし、頭部についてはフィット感があると思われるが、例えば毛髪が長く頭部から離れた部位では、むしろ使用感が悪くなる。特許文献３では獣毛によってグリップ力をアップしたドライヤーが提案されているが、均等に効率よく熱を伝えられることにはならない。
【００１２】
毛髪のグリップ力を増大させ、効率良く短時間で毛髪に熱を伝えることが可能なセット用ヘアブラシの必要性が望まれている。
【００１３】
〔実施形態１〕
以下、本発明の一実施形態について、詳細に説明する。
【００１４】
本発明に係るヘアブラシは、頭髪を梳かすヘッド部を有するヘアブラシであって、当該ヘッド部は毛髪をセットするセット部を有する。好ましい実施形態では、ヘッド部の一方の面にセット部が配置される。当該セット部は、熱を髪に伝える伝熱体からなり、セット部の表面（ｘｙ平面）（ブラシ面）に対して垂直（ｚ軸方向）に立ち上がる複数のピン形状（ブリッスル）を有する。
【００１５】
図２は、本発明に係るヘアブラシのブリッスルの幾何学的な配列を示す概略図である。図２（ａ）〜（ｃ）は、ヘアブラシの外観は示していないが、ブラシ面を臨む方向（ｘｙ平面に垂直なｚ軸方向）から見たブリッスル２０，２１，２２の幾何学的な配列のみを模式的に示す。
【００１６】
本願発明の好ましい実施形態では、ピン形状のブリッスル２０，２１，２２のｘｙ平面における各々の中心（図４（ｂ）（ｉ）参照）は、一定の幾何学的形状に沿って配置される。好ましい幾何学的形状は、２次元曲線であり、より好ましくはスパイラル（渦巻）である。本明細書でスパイラルとは、旋回するにつれ中心から遠ざかる渦巻状の２次元曲線をいう。本願発明の好ましい実施形態では、ｘｙ平面のスパイラルの一部に沿ってブリッスルが設けられることを特徴とする。
【００１７】
ここで「スパイラルの一部」とは、概念的に広がるｘｙ平面のうちセット部を構成する領域に含まれるスパイラルの一部を意味する。セット部を構成するｘｙ平面座標にはスパイラルの複数のトラックが生成されるようなピッチで構成されるスパイラルが好ましい。例えば、図２（ａ）では、セット部を構成するｘｙ平面座標に、スパイラルのトラック２０２が少なくとも１１本生成されているのが確認できる。図２（ｂ）では、セット部を構成するｘｙ平面座標に、スパイラルのトラック２１２が少なくとも１１本生成されているのが確認できる。図２（ｃ）では、セット部を構成するｘｙ平面座標に、スパイラルのトラック２２２が少なくとも１２本生成され、更に、スパイラルのトラック２２３が少なくとも１６本生成されているのが確認できる。ブリッスルが、ｘｙ平面上において渦巻状のスパイラルの一部に沿って配置される態様を「スパイラル配列」、「スパイラル状に配置」とも称する。スパイラルの態様は、アルキメデススパイラルのような代数スパイラルに限定されず、対数螺旋、フィボナッチスパイラルなどを採用することができる。スパイラルの初期半径、ピッチなどの種々のパラメータは任意に設定することが可能である。
【００１８】
好ましい実施形態では、極座標でｒ＝ａθと記述できるアルキメデススパイラル（代数スパイラル）を採用することができる。例えば、図２（ｃ）のトラック２２３では、パラメータａを０．０１７とし、θ＝ｔ×３６０としたとき、ｔが２０〜３５のトラックが１６本生成される。図２（ｃ）のトラック２２２では、パラメータａを０．０２とし、θ＝−ｔ×３６０としたとき、ｔが３６〜４７のトラックが１２本生成される。
【００１９】
ｘｙ平面においてブリッスル２０，２１，２２をスパイラル状に配置した本発明に係る構成では、金属ピン（ブリッスル）２０，２１，２２が均等に配列される。これにより、毛髪が入ってくる場所または方向２０１，２１１に依存せず、すり抜けようとする毛髪に金属ピン（ブリッスル）２０，２１，２２が確実に接触する（図２（ａ）、（ｂ）参照）。その結果、毛髪は金属ピン（ブリッスル）２０，２１，２２にキャッチされ、毛髪のセット力を高めることができる。
【００２０】
図２（ａ）、（ｂ）に示すように、スパイラルの方向はトラック２０２の方向でもよく、トラック２１２の方向でもよい。また図２（ｃ）に示すように、２つの方向のスパイラルのトラック２２２，２２３の組み合わせによる交点にブリッスル２２を配置するのも好ましい。ヘアブラシは髪全体に使用され、右利きの使用者と左利きの使用者が想定されるため、使用状況によって毛髪が進行する方向は特定できない。図２（ｃ）に示す構成であれば、毛髪がどの方向から入ってきてもブリッスル２２でキャッチされ、毛髪のセット力を向上させることができる。複数のピンは１つのスパイラルにおける第１トラックに沿って配置され、他の複数のピンは該スパイラルにおける第２トラック（第２トラックは第１トラックに隣接する）に沿って配置されてもよい。
【００２１】
図３に従来技術と本発明とのブリッスルの配列態様の対比を示す。図３（ａ）に特許文献１に開示された従来技術のブリッスルの間隔を模式的に示す。図３（ｂ）に本願発明に係るブリッスルの間隔を模式的に示す。図３（ｂ）に示すブリッスルのｘｙ平面における断面形状は、楕円形状であるのが好ましい（図４（ｂ）（ｉ）参照）。図４（ｂ）（ｉ）では、中心を通るｘ軸に平行な軸線が長軸となり、中心を通るｙ軸に平行な軸線が短軸となる。長軸と短軸が等しい場合（図４（ｂ）（ii）参照）は、ブリッスルの断面形状が円形となる。本明細書では、円形状は楕円形状の一態様である。
【００２２】
ヘアブラシによるブラッシングの際に、毛髪は出来る限り隙間を通ろうとする。例えば、特許文献１などでは、ある一定の方向（１１１とは反対方向）にヘアブラシが移動するとほとんどの毛髪がすり抜けてしまう場合がある。かかる状況では、ヘアブラシのブリッスル１１が毛髪をキャッチすることができず、ブリッスル１１を介して毛髪に熱を伝えることができないため毛髪を所望のスタイルにセットすることができない。毛髪のすり抜けを抑制するために特許文献１では、伝熱ピンの太さを太く設定したり、伝熱ピンの本数を増やす等の工夫をし、ブリッスル１１の密度を増大させる対応が施されている。しかし、金属ブリッスルの密度をいたずらに増大させると、図３（ａ）に示すように、ブリッスル３１（ａ）及び３１（ｂ）のｙ軸方向における隙間が狭くなる。その結果、毛髪との摩擦が強くなり、毛髪にダメージを与え、毛髪がピン同士の間に入りにくくなったりする。
【００２３】
これに対し、本願発明にかかるスパイラル状に配置されたブリッスル４１（ａ）と４１（ｂ）との間のｙ軸方向における隙間は、３１（ａ）及び３１（ｂ）のｙ軸方向における隙間のように狭くならないのが確認できる（図３（ｂ））。かかる構成により、従来のブリッスルの配列に比べ、毛髪へのダメージを軽減しつつ、確実にヘアセットをすることができる。
【００２４】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００２５】
図４は、実施形態２に係るブリッスルの配列を模式的に示す。図４（ａ）は、セット部４０（ｘｙ平面）上にブリッスル４１，４２がスパイラルのトラック２０２上に配置されているセット部の正面図を示す。図４（ｂ）（ｉ）は、ブリッスル４１のｘｙ平面における断面形状を示し、図４（ｂ）（ｉｉ）は、ブリッスル４２のｘｙ平面における断面形状を示す。ブリッスル４１，４２は、ともに伝熱体からなる伝熱ピンであるのが好ましい。図４（ｃ）は、図４（ａ）に示したセット部の斜視図を示す。
【００２６】
実施形態２に係るヘアブラシでは、セット部４０は、ブリッスル４１よりも幅が狭いブリッスル４２を有し、ブリッスル４２も、スパイラルの一部に沿って設けられるのが好ましい。好ましい実施形態では、ブリッスル４２のｘｙ平面における断面形状は円形であるのが好ましい。好ましい実施形態では、ブリッスル４２のｘｙ平面における各々の中心（図４（ｂ）（ｉｉ）参照）が、スパイラルの一部に沿って設けられることを特徴とする（図４（ａ）参照）。
【００２７】
図４（ａ）、（ｃ）に示すとおり、ブリッスル４２はセット部４０の短手方向端部にｙ軸方向に沿って配置されるのが好ましい。かかる構成では、セット部４０の短手方向端部で、ブリッスル間のｙ軸方向における間隔を狭くすることができる。毛髪は隙間を通ろうとする性質があるため、かかる構成により、毛髪がブリッスル間に侵入しやすい箇所を設けることができる。
【００２８】
かかる構成により、スパイラル配列によってセット力を向上させつつ、毛髪の侵入しやすさを向上させ、効果のバランスを向上させることが可能となる。
【００２９】
伝熱体からなるセット部をヘアブラシ本体に装着した具体例を以下に説明する。
【００３０】
本発明に係るヒータ内蔵のヘアブラシ（ヘアブラシアイロンとも称する）の一例の外観模式図を図８（ｂ）に示す。ヘアブラシ８１０は、使用者が手で握る部分としての把持部８４と、把持部８４の第１の端部に連結されたヘッド部８１と、ヘッド部８１内に配置された伝熱体とを備える。好ましい実施形態では、使用時には把持部８４とヘッド部８１とが略直線状の外観を呈する。他の好ましい実施形態では、把持部８４とヘッド部８１とが、所定の角度で接続された外観を呈してもよい。ヘッド部８１は、熱を毛髪に伝熱する伝熱体を有し、伝熱体は、複数の立ち上がるピン形状（ブリッスル）を有する。また好ましい実施形態では、ヘッド部８１は整流板８５を備える。整流板８５により毛髪の進行方向を整えることができるのが好ましい。伝熱体は、内側にヒータ（図示せず）が装着されているのが好ましい。伝熱体の材料は、熱伝導性が良好であればよく、例えば、ステンレス、アルミニウム合金等の金属であるのが好ましい。他の金属でも伝熱体を構成することができ、上記金属材料に限定されるものではない。
【００３１】
把持部８４の第１の端部と対向する他の端部に、電源コード８３が接続される。ヘッド部８１の内部には、ヒータ（図示せず）があるのが好ましい。別の実施形態では、把持部８４内にヒータを包含する構成であってもよい。好ましい実施形態では、伝熱体には、内側にヒータが装着されているのが好ましい。伝熱体の材質は、熱伝導性が良好であれば良い。ブラシ面の形状は、ｘｙ平面において平面であるのが好ましい。他の好ましい実施形態では、ｘｚ平面において凸状や凹状であってもよい。
【００３２】
好ましい実施形態では、把持部８４にスイッチ（図示せず）および操作部（図示せず）を備えるのが好ましい。電源コード８３の先端に備えられたプラグ（図示せず）をコンセントに挿入した上で、把持部８４に設けられたスイッチ（図示せず）を押すことができる。操作部（図示せず）で所望の温度に設定することができる。ヒータ（図示せず）の温度は、一例として、１００、１２０、１４０、１６０、１８０、及び、２００℃から選択することができるように操作部が構成されるのが好ましい。これらの温度に限定することなく、別の好ましい実施形態では、他の設定温度の組み合わせを選択することができるのが好ましい。
【００３３】
ヒータが所望の温度に達した後、手で把持部８４を持ち、ヘッド部８１を毛髪にあてることができる。伝熱ピンと毛髪とが接触し、毛髪に熱が伝えられる。毛髪が自然冷却すればヘアセットが完了する。
【００３４】
頭髪が濡れた状態で本発明のヘアブラシアイロンを使用すると、熱せられた伝熱ピンで毛髪を乾かしながら、セットすることも可能である。操作終了後は、スイッチを切り、通電を切断すると、ヒータの発熱は止まり、放置するとヘッド部８１が常温まで放冷される。
【００３５】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００３６】
図５および６は、実施形態３に係るブリッスルの配列を模式的に示す。図５（ａ）は、セット部５０（ｘｙ平面）上にブリッスル４１，４２および孔５１がスパイラルのトラック５０１上に配置されているブラシ面の正面図を示す。図５（ｂ）は、図５（ａ）に加えて、孔５１の一部にブリッスル５２がｘｙ平面に対して垂直（ｚ軸方向）に立ち上がるように配置されている状態を示す正面図である。ブリッスル５２は、伝熱体よりも熱伝導率の低い樹脂からなるのが好ましい。
【００３７】
好ましい実施形態では、セット部５０は、ｘｚ平面においてｚ軸方向に凸状に湾曲している形状を有する。ブリッスル４１，４２，５２は、ｚ軸方向に垂直に立ち上がるように伸長するのが好ましい。他の好ましい実施形態では、ｘｚ平面において凸状に湾曲したセット部５０の断面のうち、湾曲した表面における接線方向に対して垂直に立ち上がるように、ブリッスル４１，４２，５２が配置されるのが好ましい。湾曲したセット部の表面におけるブリッスル４１，４２，５２の付け根部分の断面積の中心が、スパイラルのトラック５０１上に配置されるのが好ましい。
【００３８】
図６（ａ）は、図５（ａ）に示したセット部５０の斜視図と一緒に、ブリッスル５２を連結したベース部５３の斜視図を示す。図６（ｂ）は、セット部５０の裏面から孔５１を介して、ベース部５３に連結されたブリッスル５２を装着させた斜視図を示す。
【００３９】
実施形態３におけるブリッスル５２は、実施形態２におけるブリッスル４２と同様にｘｙ平面における断面形状は円形であるのが好ましい。
【００４０】
樹脂ピン（ブリッスル５２）は、隙間に入り込んだ毛髪が抜けだすのを防ぐことができる。例えばブリッスル５２の先端を球状にすることで引っ掛かり部となり、その効果がより高まる。樹脂ピン（ブリッスル５２）を、スパイラルの配列の一部にすることで、効果をより高めることができる。また、樹脂であれば加工が容易であり、表面粗さなどを利用してグリップ力の調整が可能である。樹脂ピン（ブリッスル５２）は１本でもよいし、それぞれが毛束であっても良い。
【００４１】
〔実施形態４〕
本発明の他の実施形態について、以下に説明する。なお、説明の便宜上、上記実施形態にて説明した部材と同じ機能を有する部材については、同じ符号を付記し、その説明を繰り返さない。
【００４２】
図７は、実施形態３のセット部５０の側面図（ｙｚ平面）の概略図である。ブリッスル４１（伝熱ピン）の高さは、ブリッスル５２（樹脂ピン）の高さより低く設けられるのが好ましい。上述の実施形態３と同様に、ブリッスル５２（樹脂ピン）は、伝熱ピンよりも熱伝導率の低い樹脂からなるのが好ましい。伝熱ピン（ブリッスル４１）は、耐熱過剰になる場合が想定され、伝熱ピンが直接頭皮に接触すると使用者が熱いと感じる場合がある。図７に示すように、樹脂ピン（ブリッスル５２）が伝熱ピン（ブリッスル４１）より突出していれば、樹脂ピン（ブリッスル５２）が伝熱ピン（ブリッスル４１）よりも先に頭皮に接触する。このため、直接伝熱ピン（ブリッスル４１）が頭皮に接触するのを防ぐことができる。
【００４３】
セット部５０は平らな面に限定されず、ｘｚ平面において凸状であってもよく、凹状であってもよい。樹脂ピンの材質は、成形性と耐熱性が良好であるのが好ましい。
【００４４】
好ましい実施形態では、ブリッスル５２の球状部のみを伝熱ピン（ブリッスル４１）の高さより突出させるのが好ましい。かかる態様では、毛髪が抜けにくく、かつ使用者に伝熱部が触れることを抑制することが可能となる。
【００４５】
〔実施形態５〕
本発明の他の実施形態について、以下に説明する。なお、説明の便宜上、上記実施形態にて説明した部材と同じ機能を有する部材については、同じ符号を付記し、その説明を繰り返さない。
【００４６】
図８（ａ）は、セット部８０の斜視図である。図８では、わかりやすさを優先させるために、樹脂ピン（ブリッスル５２）は省略し、セット部８０のｘｙ平面から垂直方向（ｚ軸方向）に突出した伝熱ピン（ブリッスル４１）のみが示されている。図８（ｂ）は、セット部８０を包含するヘッド部８１と、ヘッド部８１に接続された把持部８４と、把持部８４に接続された電源コード８３とからなるヘアブラシ８１０の正面図を示す。
【００４７】
ブリッスル４１のｘｙ平面における中心が、セット部８０のｘｙ平面においてスパイラルの一部に沿って設けられるのが好ましい。図８（ａ）で省略した樹脂ピン（ブリッスル５２）は、セット部８０の孔５１を介してｘｙ平面から垂直方向（ｚ軸方向）に突出して配置されるのが好ましい。好ましい実施形態では、図８（ｂ）に示すように、ブリッスル５２は、ブラシ面の短手方向端部にｙ軸方向に沿って配置されるのが好ましい。
【００４８】
他の好ましい実施形態では、セット部８０は、ｘｚ平面においてｚ軸方向に凸状に湾曲している形状を有する。ブリッスル４１、５２は、ｘｚ平面において凸状に湾曲したセット部８０の断面において、湾曲した表面における接線方向に対して垂直に立ち上がるように配置されるのが好ましい。湾曲したセット部の表面におけるブリッスル４１，５２の付け根部分の断面積の中心が、スパイラルのトラック上に配置されるのが好ましい。
【００４９】
実施形態５に係るヘアブラシでは、ブリッスル４１（伝熱ピン）は、高さが異なる２種以上のピンからなるのが好ましい。また好ましい実施形態では、ブリッスル４１（伝熱ピン）は、ｘｙ平面において異なる断面積を有する２種以上のピンからなるのが好ましい。ここでブリッスルの高さとは、ピン自体の長さではなく、ｚ軸方向の値のことを言う。ブリッスル４１（伝熱ピン）の高さに関しては、低い方がピンとピンの間に毛髪が入りやすい。ｘｙ平面におけるピンの断面積も小さい方がピンとピンの間に毛髪が入りやすい。一方、伝熱ピンの表面積が髪に接触可能な面積となるため、伝熱ピンの表面積は可能な限り大きいのが好ましい。
【００５０】
好ましい実施形態では、図８（ａ）に示すようにスパイラル配列されたトラック毎に伝熱ピン（ブリッスル４１）の高さが異なるのが好ましい。図８（ａ）に示した実施形態では、伝熱ピン（ブリッスル４１）の高さが高いトラックと低いトラックが交互に配置されている。
【００５１】
かかる構成により、スパイラル配列によってセット力を向上させ、毛髪の接触面積も担保しつつ毛髪の侵入しやすさを向上させ、効果のバランスを向上させることが可能となる。
【００５２】
〔実施形態６〕
本発明の他の実施形態について、以下に説明する。なお、説明の便宜上、上記実施形態にて説明した部材と同じ機能を有する部材については、同じ符号を付記し、その説明を繰り返さない。
【００５３】
図９（ｂ）は、実施形態６に係るヘアブラシのブリッスルの配列を示す概略図である。図９（ａ）は、実施形態６に係るヘアブラシのブリッスルの配列の特徴を説明するための対比用の概略図である。図９では、ヘアブラシの外観は示していないが、ブラシ面を臨む方向（ｘｙ平面に垂直なｚ軸方向）から見たブリッスル４１，４１βの配列のみを模式的に示す。
【００５４】
図９（ａ）（ｂ）に示した、スパイラルのトラック２０２上に配置されたブリッスル４１は、ｘｙ平面における断面が第１の軸線と第２の軸線とを備えた円形状からなる。好ましい実施形態では、長軸と短軸とを備えた楕円形状からなるのが好ましい。図９（ａ）に示した各ブリッスル４１の短軸は、セット面の長手方向の軸線（ｙ軸）方向と平行である。
【００５５】
図９（ｂ）については、セット面の短手方向端部のｙ軸に沿った領域と、それ以外の領域（内部領域）とに分けて説明する。まず、短手方向の端部以外の内部領域では、各ブリッスル４１βの各軸線は、少なくとも隣接する各ブリッスル４１βとの関係において第１の軸線は互いに平行ではなく、第２の軸線も互いに平行ではない。全体的に各ブリッスル４１βの配置角度はランダムである。
【００５６】
実施形態１にて説明したように、図９（ａ）に示した、スパイラルのトラック２０２上に配置されたブリッスル４１を備えるヘアブラシでは、毛髪は進行方向２０１の方向に進行する。これに対し、図９（ｂ）に示したブリッスル４１βを備えるヘアブラシでは、毛髪は進行方向２０１βのように進行する。
【００５７】
次いで、セット面の短手方向のｙ軸に沿った端部に着目する。好ましい実施形態では、毛髪の進行方向に対して、入り口付近のブリッスル４１βのように、隣接したブリッスル４１βの向きを侵入口方向では広く、出口方向では狭くなるような角度で配置することができる。これにより、隣接したブリッスル４１βの間に毛髪を取り込みやすくすることができ、抜けにくくすることが可能となり、グリップ力が向上する。別の好ましい実施形態では、毛髪の進行方向に対して、出口付近のブリッスル４１βのように、隣接したブリッスル４１βの向きを侵入口方向では狭く、出口方向では広くなるような角度で配置することができる。これにより、毛髪のリリースがスムーズになるという効果を奏する。
【００５８】
上記配置態様を幾何学的に検討すると、セット部の短手方向の端部に配置されるブリッスル４１βのうち隣接する任意の２つのブリッスル４１βを第３のブリッスルおよび第４のブリッスルとする。隣接の態様は、１つのトラックに沿っての隣接に限定されず、異なるトラック間での隣接でもよい。当該第３のブリッスルの第１の軸線がセット部の長手方向の軸線との間で形成される第１の角度と、第４のブリッスルの第１の軸線が前記セット部の長手方向の軸線との間で形成される第２の角度との差を検討する。当該角度の差の絶対値が、０度より大きく９０度よりも小さい角度となるように、第３のブリッスルと第４のブリッスルとがセット部の短手方向の端部において隣接して配置されるのが好ましい。
【００５９】
例えば、毛髪の進行方向２０１の侵入口側では、第３のブリッスルの長軸がｙ軸から時計回りに１２０度で配置され、第４のブリッスルの長軸がｙ軸から時計回りに８０度で配置されるのが好ましい。この場合の角度の差の絶対値は４０度となる。一方、毛髪の進行方向２０１の出口側では、第３のブリッスルの長軸がｙ軸から時計回りに６０度で配置され、第４のブリッスルの長軸がｙ軸から時計回りに８０度で配置されるのが好ましい。この場合の角度の差の絶対値は２０度となる。
【００６０】
〔実施形態７〕
本発明の他の実施形態について、以下に説明する。なお、説明の便宜上、上記実施形態にて説明した部材と同じ機能を有する部材については、同じ符号を付記し、その説明を繰り返さない。
【００６１】
図１０は、本願発明に係るブラシの概略図を示す。図１０（ａ）は、本願発明に係るブラシの全体斜視図を示す。図１０（ｂ）は、本願発明に係るブラシのヘッド部を拡大した側面図を示す。
【００６２】
本願発明に係るブラシは、ヘッド部１と、ヘッド部１に接続された把持部２とを備える。実施形態７に係るブラシは、ヒータを有していなくてもよい。ヘッド部１は更に、ヘッド部１を臨む方向（ｘｙ平面に垂直なｚ軸方向）にブリッスル３を備える。ブリッスル３は、樹脂ピンのみから構成されてもよい。好ましい実施形態では、図２（ｃ）にて説明したように、２つの方向のスパイラルの組み合わせによる各トラックの交点にブリッスル３を配置するのが好ましい。かかる構成により、絡まった被毛や毛髪を効率良く梳かすことができる。
【００６３】
実施形態７に係るヘッド部１に備えられたブリッスル３のｘｙ平面における断面形状は、略円形状であってよい。他の好ましい実施形態では、ブリッスル３のｘｙ平面における断面形状は、楕円形状であってもよい。
【００６４】
ヘッド部１のブラシ面は平面形状に限定されず、ｘｚ平面において凸状であってもよく、凹状であってもよい。
【００６５】
好ましい実施形態では、ヘッド部１は、ｘｚ平面においてｚ軸方向に凸状に湾曲している形状を有する。ブリッスル３は、ｚ軸方向に垂直に立ち上がるように伸長するのが好ましい。他の好ましい実施形態では、ｘｚ平面において凸状に湾曲したヘッド部１の断面のうち、湾曲した表面における接線方向に対して垂直に立ち上がるように、ブリッスル３が配置されるのが好ましい。湾曲したヘッド部１の表面におけるブリッスル３の付け根部分の断面積の中心が、スパイラルのトラック上に配置されるのが好ましい。
【００６６】
〔変形例〕
毛髪にやさしいとされている獣毛ブラシを適宜付加したり、樹脂ピンを追加または間引く構成は、適宜設計変更可能な範囲であり、本発明の範囲に影響を及ぼすものではない。また、送風装置を付加することによりドライヤーの機能を持たせる構成なども適宜設計変更可能な範囲であり、本発明の範囲に影響を及ぼすものではない。
【００６７】
〔まとめ〕
本発明の態様１に係るヘアブラシは、ヘッド部８１を備えたヘアブラシであって、前記ヘッド部８１の第１の表面にセット部（４０、５０、８０）が配置され、前記セット部（４０、５０、８０）が、当該セット部の表面から伸長する複数のブリッスル（２０、２１、２２、４１、４１β、４２、５２）を備え、前記セット部の表面におけるブリッスル（２０、２１、２２、４１、４１β、４２、５２）の各々の断面の中心が、前記第１の表面において幾何学的に配置され、前記幾何学的な配置が、前記第１の表面におけるスパイラルの一部に沿った配置であり、前記複数のブリッスル（２０、２１、２２、４１、４１β、４２、５２）のうちの少なくとも２つが毛髪に熱を伝える伝熱体からなる第１のブリッスル（伝熱ピン２０、２１、２２、４１、４１β、４２）である構成である。
【００６８】
上記の構成によれば、毛髪はブリッスルに効率的にキャッチされ、毛髪のセット力を高めることができる。
【００６９】
本発明の態様２に係るヘアブラシは、上記の態様１において、前記幾何学的な配置が、前記第１の表面における２つのスパイラルの交点の一部に沿った配置である、構成としてもよい。
【００７０】
上記の構成によれば、いずれの方向から侵入する毛髪に対してもブリッスルが効率的に毛髪をキャッチし、毛髪のセット力を高めることができる。
【００７１】
本発明の態様３に係るヘアブラシは、上記の態様１または２において、前記複数のブリッスル（２０、２１、２２、４１、４１β、４２、５２）のうちの少なくとも１つが、前記伝熱体よりも熱伝導率の低い樹脂からなる第２のブリッスル（樹脂ピン５２）である、構成としてもよい。
【００７２】
上記の構成によれば、ブリッスル間の隙間に入り込んだ毛髪が抜けだすのを防ぐことができる。
【００７３】
本発明の態様４に係るヘアブラシは、上記の態様３において、前記第１のブリッスル（伝熱ピン２０、２１、２２、４１、４１β、４２）の高さが、前記第２のブリッスル（樹脂ピン５２）の高さより低い構成としてもよい。
【００７４】
上記の構成によれば、伝熱体からなる第１のブリッスルが直接頭皮に触れるのを防ぐことができる。
【００７５】
本発明の態様５に係るヘアブラシは、上記の態様１から４のいずれかにおいて、前記第１の表面におけるスパイラルの一部が第１のトラックと第２のトラックとを有し、第１の高さを有する第１のブリッスルが前記第１のトラックに配置され、前記第１の高さとは異なる第２の高さを有する第１のブリッスルが前記第２のトラックに配置される構成としてもよい。
【００７６】
上記の構成によれば、スパイラル配列によってセット力を向上させつつ、毛髪の侵入しやすさを向上させ、効果のバランスを向上させることが可能となる。
【００７７】
本発明の態様６に係るヘアブラシは、上記の態様１から５のいずれかにおいて、第１の断面積を有する第１のブリッスル（伝熱ピン２０、２１、２２、４１、４１β）に隣接して、前記第１の断面積とは異なる第２の断面積を有する第１のブリッスル（伝熱ピン４２）が配置され、前記第１の断面積が前記第２の断面積よりも大きく、前記第２の断面積を有する第１のブリッスル（伝熱ピン４２）が、前記セット部（４０、５０、８０）の短手方向の端部に沿って配置される構成としてもよい。
【００７８】
上記の構成によれば、スパイラル配列によってセット力を向上させつつ、毛髪の侵入しやすさを向上させ、効果のバランスを向上させることが可能となる。
【００７９】
本発明の態様７に係るヘアブラシは、上記の態様１から６のいずれかにおいて、前記第１（伝熱ピン２０、２１、２２、４１）のブリッスルの断面が、長軸と短軸とを有する楕円形状を備え、前記短軸が、前記セット部（４０、５０、８０）の長手方向と平行になるように配置される構成としてもよい。
【００８０】
上記の構成によれば、ブリッスルの断面を楕円形状とすることにより、効率的に毛髪に熱を伝えることができる。
【００８１】
本発明の態様８に係るヘアブラシは、上記の態様１から７のいずれかにおいて、前記第１のブリッスル（伝熱ピン４１β）の断面が、長軸と短軸とを有する楕円形状を備え、前記短軸が、前記セット部（４０、５０、８０）の長手方向の軸線と交わる角度がランダムに決定される角度で前記第１のブリッスル（伝熱ピン４１β）が配置される構成としてもよい。
【００８２】
上記の構成によれば、毛髪のグリップ力を向上させ、効率的に毛髪に熱を伝えることができる。
【００８３】
本発明の態様９に係るヘアブラシは、上記の態様１から８のいずれかにおいて、前記第１のブリッスル（伝熱ピン４１β）の断面が、第１の軸線と第２の軸線とを有する楕円形状を備え、前記セット部（４０、５０、８０）の短手方向の端部に配置される第１のブリッスル（伝熱ピン４１β）のうち隣接する第３のブリッスルおよび第４のブリッスルにおいて前記第３のブリッスルの前記第１の軸線が前記セット部（４０、５０、８０）の長手方向の軸線との間で形成される第１の角度と、前記第４のブリッスルの前記第１の軸線が前記セット部（４０、５０、８０）の長手方向の軸線との間で形成される第２の角度との差の絶対値が、０度より大きく９０度以下の角度となるように、前記第３のブリッスルと前記第４のブリッスルとが前記セット部（４０、５０、８０）の短手方向の端部において隣接して配置される構成としてもよい。
【００８４】
上記の構成によれば、毛髪の侵入しやすさを向上させつつ、毛髪のリリース態様を向上させるという効果のバランスを向上させることが可能となる。
【００８５】
本発明の態様１０に係るヘアブラシは、手で把持可能な把持部２と、前記把持部２の長手方向の一端に連結するヘッド部１と、を有するヘアブラシであって、前記ヘッド部１の第１の表面から伸長する複数のブリッスル３を備え、前記第１の表面における前記複数のブリッスル３の各々が伸長する方向に垂直な断面の中心が、前記第１の表面において幾何学的に配置され、前記幾何学的な配置が、前記第１の表面における２つのスパイラルの交点の一部に配置されている構成である。
【００８６】
上記の構成によれば、ブリッスルをスパイラル配列にすることにより、ブリッスルが毛髪をキャッチする効率を向上させることができる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１、８１  ヘッド部
２、８４  把持部
３、１０、１１、２０、２１、２２、３１、４１、４１β、４２、５２  ブリッスル
４０、５０、８０  セット部
５３  ベース部
８３  電源コード
８５  整流板
２０１、２１１  毛髪進行方向
２０２、２１２、２２２、２２２、２２３、２２３、５０１  トラック
８１０  ヘアブラシ
【図１】
2019215960.tif 000003
【図２】
2019215960.tif 000004
【図３】
2019215960.tif 000005
【図４】
2019215960.tif 000006
【図５】
2019215960.tif 000007
【図６】
2019215960.tif 000008
【図７】
2019215960.tif 000009
【図８】
2019215960.tif 000010
【図９】
2019215960.tif 000011
【図１０】
2019215960.tif 000012
【国際調査報告】
2019215960.tif 000013
2019215960.tif 000014
2019215960.tif 000015
2019215960.tif 000016